【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
電子ズーム機能を有する撮像装置であって、
被写体を撮像して、画像データを出力する撮像素子と、
第１の処理モードと第２の処理モードのいずれかを設定するモード設定手段と、
画角を指示する画角指示手段と、
前記モード設定手段により設定された処理モードと、前記画角指示手段により指示された画角とに基づいて、前記撮像素子からの画像データの読み出し範囲及び読み出し方法を切り替えて前記撮像素子を駆動制御することで、画角を変更する第１の画角変更手段と、
前記撮像素子から出力された画像データを処理して、前記画角指示手段により指示された画角に変更する第２の画角変更手段と、
前記第２の画角変更手段により処理された画像データを予め設定されたレートで表示する表示手段とを有し、
前記第１の処理モードでは、前記第１及び第２の画角変更手段を用いて画角変更を行い、前記表示手段が１フレームおきに前記第２の画角変更手段により処理された画像データを表示すると共に、前記第１の画角変更手段は前記画像データを表示しないフレームにおいて画像データの読み出し範囲及び読み出し方法を切り替え、前記第２の処理モードでは、画角の変更時に画像データの読み出し範囲及び読み出し方法を切り替えずに、前記第２の画角変更手段を用いて画角変更を行うことを特徴とする撮像装置。
【請求項２】
前記第２の処理モードでは、広角方向へ画角を変更する場合に、前記第２の画角変更手段による画角変更開始に先だって、前記第１の画角変更手段により読み出し範囲を広くし、読み出し方法を切り替えて固定することを特徴とする請求項１に記載の撮像装置。
【請求項３】
前記第２の処理モードで広角方向に画角変更の際に、前記画角指示手段による変更指示が終了した場合に、前記第１の処理モードに切り替えることを特徴とする請求項１または２に記載の撮像装置。
【請求項４】
前記第２の処理モードで広角方向に画角変更の際に、最広角倍率を検知した場合に、前記第１の処理モードに切り替えることを特徴とする請求項１または２に記載の撮像装置。
【請求項５】
前記第１の処理モードへの切り替えに伴って、焦点調節レンズを合焦位置から予め設定された量ずらしてから、徐々に前記焦点調節レンズを合焦位置に戻すことを特徴とする請求項３又は４に記載の撮像装置。
【請求項６】
前記画像データの読み出し範囲及び読み出し方法は、
読み出し範囲が前記撮像素子の第１の領域であって、読み出し方法が当該第１の領域の画像データから、第１の間引き率で画像データを出力する第１の方法と、
読み出し範囲が前記第１の領域の部分領域である前記撮像素子の第２の領域から、前記第１の間引き率よりも高い第２の間引き率で画像データを出力する第２の方法と
を含むことを特徴とする請求項１乃至５のいずれか１項に記載の撮像装置。
【請求項７】
前記画角指示手段は、画角の変更方向と速度とを指示する手段を有し、前記モード設定手段は、前記画角の変更の速度が予め設定された速度よりも遅い場合に前記第１の処理モードを設定し、速い場合に前記第２の処理モードを設定することを特徴とする請求項１乃至６のいずれか１項に記載の撮像装置。
【請求項８】
前記モード設定手段はモード設定部材を有し、当該モード設定部材の操作に応じて前記第１の処理モードと前記第２の処理モードのいずれかを設定することを特徴とする請求項１乃至６のいずれか１項に記載の撮像装置。
【請求項９】
前記画像データの読み出し範囲及び読み出し方法と、前記画角指示手段に指示された画角とに応じて、画角変更中に前記第２の画角変更手段により生成される画像データの解像感が変化しないように、信号処理用のパラメータを変更するパラメータ変更手段を更に有することを特徴とする請求項１乃至８のいずれか１項に記載の撮像装置。
【請求項１０】
画角を変更する変倍光学系を更に有し、
前記画角指示手段により指定された画角が予め設定された画角より広い場合に、前記変倍光学系により画角を変更することを特徴とする請求項１乃至９のいずれか１項に記載の撮像装置。
【請求項１１】
被写体を撮像して画像データを出力する撮像素子と、電子ズーム機能を有する撮像装置の制御方法であって、
モード設定手段が、第１の処理モードと第２の処理モードのいずれかを設定するモード設定工程と、
画角指示手段が、画角を指示する画角指示工程と、
前記モード設定工程で前記第１の処理モードが設定された場合に、第１の画角変更手段が、前記画角指示工程で指示された画角に基づいて、前記撮像素子からの画像データの読み出し範囲及び読み出し方法を切り替えて前記撮像素子を駆動制御して画像データを読み出し、第２の画角変更手段が、該読み出した画像データを処理して、前記画角指示工程で指示された画角に変更する第１の画角変更工程と、
前記モード設定工程で前記第２の処理モードが設定された場合に、画角の変更時に画像データの読み出し範囲及び読み出し方法を切り替えずに、前記第２の画角変更手段が、前記撮像素子から出力された画像データを処理して、前記画角指示工程で指示された画角に変更する第２の画角変更工程と、
表示手段が、前記第１または第２の画角変更工程により処理された画像データを予め設定されたレートで表示する表示工程とを有し、
前記第１の処理モードが設定された場合、前記表示工程では、１フレームおきに前記第１の画角変更工程で処理された画像データを表示すると共に、前記第１の画角変更工程では、前記画像データを表示しないフレームにおいて画像データの読み出し範囲及び読み出し方法を切り替えることを特徴とする制御方法。
【手続補正２】
【補正対象書類名】明細書
【補正対象項目名】００１２
【補正方法】変更
【補正の内容】
【００１２】
上記目的を達成するために、電子ズーム機能を有する本発明の撮像装置は、被写体を撮像して、画像データを出力する撮像素子と、第１の処理モードと第２の処理モードのいずれかを設定するモード設定手段と、画角を指示する画角指示手段と、前記モード設定手段により設定された処理モードと、前記画角指示手段により指示された画角とに基づいて、前記撮像素子からの画像データの読み出し範囲及び読み出し方法を切り替えて前記撮像素子を駆動制御することで、画角を変更する第１の画角変更手段と、前記撮像素子から出力された画像データを処理して、前記画角指示手段により指示された画角に変更する第２の画角変更手段と、前記第２の画角変更手段により処理された画像データを予め設定されたレートで表示する表示手段とを有し、前記第１の処理モードでは、前記第１及び第２の画角変更手段を用いて画角変更を行い、前記表示手段が１フレームおきに前記第２の画角変更手段により処理された画像データを表示すると共に、前記第１の画角変更手段は前記画像データを表示しないフレームにおいて画像データの読み出し範囲及び読み出し方法を切り替え、前記第２の処理モードでは、画角の変更時に画像データの読み出し範囲及び読み出し方法を切り替えずに、前記第２の画角変更手段を用いて画角変更を行う。
【手続補正３】
【補正対象書類名】明細書
【補正対象項目名】００１３
【補正方法】変更
【補正の内容】
【００１３】
また、被写体を撮像して画像データを出力する撮像素子と、電子ズーム機能を有する撮像装置の本発明の制御方法は、モード設定手段が、第１の処理モードと第２の処理モードのいずれかを設定するモード設定工程と、画角指示手段が、画角を指示する画角指示工程と、前記モード設定工程で前記第１の処理モードが設定された場合に、第１の画角変更手段が、前記画角指示工程で指示された画角に基づいて、前記撮像素子からの画像データの読み出し範囲及び読み出し方法を切り替えて前記撮像素子を駆動制御して画像データを読み出し、第２の画角変更手段が、該読み出した画像データを処理して、前記画角指示工程で指示された画角に変更する第１の画角変更工程と、前記モード設定工程で前記第２の処理モードが設定された場合に、画角の変更時に画像データの読み出し範囲及び読み出し方法を切り替えずに、第２の画角変更手段が、前記撮像素子から出力された画像データを処理して、前記画角指示工程で指示された画角に変更する第２の画角変更工程と、表示手段が、前記第１または第２の画角変更工程により処理された画像データを予め設定されたレートで表示する表示工程とを有し、前記第１の処理モードが設定された場合、前記表示工程では、１フレームおきに前記第１の画角変更工程で処理された画像データを表示すると共に、前記第１の画角変更工程では、前記画像データを表示しないフレームにおいて画像データの読み出し範囲及び読み出し方法を切り替える。